(57)【要約】      （修正有）【課題】毛玉の発生を抑制し、起毛時に裏糸を傷つけなく、洗濯を重ねても、ストレッチ性を損わない保温性のよい保温編物や保温織物を提供する。【解決手段】繊維糸２を起毛してこの起毛した繊維糸２を芯糸３にカバーリングした糸を用いて編成または織成した保温編物または織物であり、好ましくは、この起毛したカバーリングヤーン６を裏糸７とし、表糸とともに編組した靴下、肌着、手袋に使用される保温編物、あるいは、ワイシャツ、ズボン、敷布、枕カバー、タオルに使用される保温織物。【選択図】図２
2013064210.tif 000002
【特許請求の範囲】
【請求項１】
繊維糸を起毛してこの起毛した繊維糸を芯糸にカバーリングして編物または織物を編成または織成したことを特徴とする保温編物または織物。
【請求項２】
繊維フィラメントの繊維糸を起毛してこの繊維フィラメントの繊維糸を芯糸にカバーリングしたカバーリングヤーンを裏糸とし、表糸とともに編組して靴下、肌着、手袋のいずれかを編成した請求項１に記載の保温編物。
【請求項３】
繊維糸がポリエステルやポリプロピレン、ナイロンを含む合成繊維のマルチフィラメントで、芯糸がポリウレタン糸を含むモノフィラメントの弾性糸である請求項１または２に記載の保温編物。
【請求項４】
繊維糸を起毛して、この起毛した繊維糸を芯糸にカバーリングし、このカバーリングヤーンを編物機または織物機に供給して編成または織成して編物または織物を製造することを特徴とする保温編物または織物の製造方法。
【請求項５】
繊維フィラメントの繊維糸を起毛して、この起毛した繊維フィラメントの繊維糸を芯糸にカバーリングし、このカバーリングヤーンを裏糸として表糸とともに編機に供給して編成して靴下、肌着、手袋のいずれかの編物を製造する請求項１に記載の保温編物の製造方法。
【発明の詳細な説明】
【技術分野】
【０００１】
本発明は、靴下、肌着、手袋等の保温編物または織物およびその製造方法に関するものである。
【背景技術】
【０００２】
近年、靴下や肌着に保温性を有する編物が提案され、市販されている。その多くは、合成繊維で編成した編地の裏側に起毛ブラシで起毛処理して保温性を有するように処理されている。
【０００３】
しかし、起毛した編物は保温性がよいものの、編地の裏側から表糸を剛毛のブラシを押し当てて起毛しているため、毛玉の発生を高めるとともに、起毛時に裏糸を傷つけ、洗濯を重ねると、ストレッチ性を損ねるという課題があった。
【発明の開示】
【発明が解決しようとする課題】
【０００４】
そのため、毛玉の発生を抑制し、起毛時に裏糸を傷つけなく、洗濯を重ねても、ストレッチ性を損わない保温性のよい保温編物や保温織物を開発することが課題であった。
【課題を解決するための手段】
【０００５】
本発明は、上記のような点に鑑みたもので、上記の課題を解決するために、繊維糸を起毛してこの起毛した繊維糸を芯糸にカバーリングして編物または織物を編成または織成したことをことを特徴とする保温編物または織物を提供するにある。
【０００６】
また、繊維フィラメントの繊維糸を起毛してこの繊維フィラメントの繊維糸を芯糸にカバーリングしたカバーリングヤーンを裏糸とし、表糸とともに編組して靴下、肌着、手袋のいずれかを編成したことを特徴とする保温編物を提供するにある。
【０００７】
さらに、繊維糸がポリエステルやポリプロピレン、ナイロンを含む合成繊維のマルチフィラメントで、芯糸がポリウレタン糸を含むモノフィラメントの弾性糸であることを特徴とする保温編物を提供するにある。
【０００８】
またさらに、繊維糸を起毛して、この起毛した繊維糸を芯糸にカバーリングし、このカバーリングヤーンを編物機または織物機に供給して編成または織成して編物または織物を製造することを特徴とする保温編物または織物の製造方法を提供するにある。
【０００９】
さらにまた、繊維フィラメントの繊維糸を起毛して、この起毛した繊維フィラメントの繊維糸を芯糸にカバーリングし、このカバーリングヤーンを裏糸として表糸とともに編機に供給して編成して靴下、肌着、手袋のいずれかの編物を製造することを特徴とする保温編物の製造方法を提供するにある。
【発明の効果】
【００１０】
本発明にあっては、請求項１のように、繊維糸を起毛してこの起毛した繊維糸を芯糸にカバーリングして編物または織物を編成または織成したことによって、編物または織物をその編地や織地の裏側を剛毛のブラシで起毛しなくて起毛を有する編物または織物を編成または織成でき、編物または織物を毛玉の発生がなく、良好な保温状態の編物または織物を得ることができる。
【００１１】
また、請求項２のように、繊維フィラメントの繊維糸を起毛してこの繊維フィラメントの繊維糸を芯糸にカバーリングしたカバーリングヤーンを裏糸とし、表糸とともに編組して靴下、肌着、手袋のいずれかを編成したことによって、上記のように靴下、肌着、手袋の編物に起毛による毛玉の発生がなく、また起毛時に裏糸を傷つけるおそれがなく、洗濯を重ねてもストレッチ性を損わなずに、肌に接する内面側に起毛による多量の空気層を形成できて、良好な保温状態の靴下、肌着、手袋の編物を得ることができる。
【００１２】
さらに、請求項３のように、繊維糸がポリエステルやポリプロピレン、ナイロンを含む合成繊維のマルチフィラメントで、芯糸がポリウレタン糸を含むモノフィラメントの弾性糸であることによって、上記のような良好な保温状態の靴下、肌着、手袋等の編物を保温状態よく、伸縮性よく、編成することができる。
【００１３】
またさらに、請求項４のように、繊維糸を起毛して、この起毛した繊維糸を芯糸にカバーリングし、このカバーリングヤーンを編物機または織物機に供給して編成または織成して編物または織物を製造することによって、上記のように編物または織物をその編地や織地の裏側を剛毛のブラシで起毛しなくて起毛を有する編物または織物を編成または織成でき、編物または織物を毛玉の発生がなく、良好な保温状態の編物または織物を得ることができる。
【００１４】
さらにまた、請求項５のように、繊維フィラメントの繊維糸を起毛して、この起毛した繊維フィラメントの繊維糸を芯糸にカバーリングし、このカバーリングヤーンを裏糸として表糸とともに編機に供給して編成して靴下、肌着、手袋のいずれかの編物を製造することによって、上記のように靴下、肌着、手袋の編物に起毛による毛玉の発生がなく、また起毛時に裏糸を傷つけるおそれがなく、洗濯を重ねてもストレッチ性を損わなずに、肌に接する内面側に起毛による多量の空気層を形成できて、良好な保温状態の靴下、肌着、手袋の編物を得ることができる。
【図面の簡単な説明】
【００１５】
【図１】本発明の一実施例の繊維糸の起毛説明図、
【図２】同上の起毛した繊維糸を芯糸にカバーリング状態の説明図、
【図３】同上の一実施例の靴下の側面図、
【図４】同上の編組織の拡大図、
【図５】同上の他の編組織の拡大図、
【図６】同上の他の実施例の編組織の拡大図。
【発明を実施するための形態】
【００１６】
本発明の保温編物または織物およびその製造方法は、繊維糸を起毛してこの起毛した繊維糸を芯糸にカバーリングして編物または織物を編成または織成することを特徴としている。
【００１７】
保温編物１または織物は、図１のように繊維糸２を起毛して、図２のようにこの起毛した繊維糸２を芯糸３にカバーリングして図３のように靴下等の所要の編物または織物を編成または織成するようにしている。
【００１８】
上記繊維糸２としては、１６〜９６本のマルチフィラメントの５０〜１５０デニールのポリエステル、ポリプロピレン、ナイロンを含む合成繊維フィラメントが利用するのが好ましく、芯糸３としてはモノフィラメントの２０〜７０デニールのポリウレタン糸を含む合成繊維の弾性糸を利用するのが好ましい。必要により、天然繊維糸を利用することもできる。
【００１９】
上記マルチフィラメントの合成繊維糸２は、図１のように細径の筒状等の内周部に微少の引っ掻き突起や凸凹、ブラシ等を設けた起毛の起毛器４に供給して、この細径の筒状等の起毛器４に挿通してマルチフィラメントの合成繊維糸２を引っ掻くようにして起毛するようにしている。起毛５は、０．０２〜０．５ｍｍ位、好ましくは０．３〜０．５ｍｍ位のできるだけ長く起毛するのが好ましく、合成繊維糸２のまわりに均一状に発生させるように図１のように繊維糸２を揺動回転させるようにして引き出したり、供給したりして起毛器４に挿通し、マルチフィラメントの繊維糸２に適宜の接触圧で接触させて起毛することができる。起毛器４に挿通するマルチフィラメントの繊維糸２の送り込みまたは引き出しの供給速度、接触角度、接触圧は、可変として所要の起毛５を得るようにできる。
【００２０】
このように起毛した繊維フィラメントの繊維糸２は、図２のようにカバーリング装置（図外）に供給し、芯糸３のまわりに適宜の間隔で巻回していってカバーリングして、いわゆるＦＴＹのカバーリングヤーン６を形成し、起毛のカバーリングヤーン６によって空気層を保有するようにして保温性を有するようにできる。上記繊維糸２としては、１７〜９６本のマルチフィラメントの合成繊維フィラメントが利用でき、マルチフィラメント数が多い程、起毛率が多くて保温性を高くできる。実用的には、２４〜７２本位のマルチフィラメント位が好ましい。
【００２１】
そして、たとえば、図３のように靴下の保温編物１を編成するには、図４のように上記のようにして形成したカバーリングヤーン６を裏糸７とし、表糸８とともに丸編機等に給糸し、平編み、メッシュ編み、ゴム編みなどの所要の編組織として形成していくことができる。シャツ、ショーツ等の肌着、腹巻、手袋、帽子等の編物についても、所要の繊維糸を選別して同様に編成することができる。なお、公知や周知の模様編みやカラフルな色模様の編物とすることもできる。
【００２２】
なお、図５のように表糸８と裏糸７にゴム糸９や所要の補助糸を併用し、平編み、メッシュ編み、ゴム編みなどの編組織として上記した編物を編成することもできる。これらは、特に適正な締め付け用に、靴下の履口部や長袖の手首部、タイツ等の胴回部や足首部に利用するのが好ましい。
【００２３】
また、表糸８も上記したように起毛して、図６のように裏糸７とともに編組して靴下を編成することができ、表糸８を起毛することによって、さらに保温性を高めることができる。
【００２４】
このように繊維糸２を起毛してこの起毛した繊維糸２を芯糸３にカバーリングして編物を編成するため、編物の編地の裏側を剛毛のブラシで起毛しなくて起毛を有する編物を編成でき、編物を毛玉の発生がなく、また起毛時に裏糸を傷つけるおそれがなく、洗濯を重ねてもストレッチ性を損わなずに、良好な保温状態の編物を得ることができる。
【００２５】
特に、繊維フィラメントの繊維糸２を起毛してこの繊維フィラメントの繊維糸２を芯糸３にカバーリングしたカバーリングヤーン６を裏糸７とし、表糸８とともに編組して編成すると、肌に接する内面側に起毛５による多量の空気層を形成できて、良好な保温状態の靴下、肌着、手袋、腹巻、帽子の編物を得ることができる。
【００２６】
また、繊維フィラメントの繊維糸２がポリエステルやポリプロピレン、ナイロンを含む合成繊維フィラメントで、芯糸３がポリウレタン糸を含む弾性糸とすると、起毛状態を密に形成できて、伸縮性よく編物を編成することができる。
【００２７】
さらに、上記では、編物について説明したが、ワイシャツ、ズボン、敷布、枕カバー、タオル等の織物についても同様に織成することができる。
【実施例】
【００２８】
図１〜図４は、本発明の一実施例を示すものである。保温編物１は靴下編成の一実施例で、繊維糸２を３６束、７５デニールのマルチフィラメントのポリエステル糸を図１のように起毛器４に給糸してマルチフィラメントのナイロン糸を引っ掻き部で引っ掻いて起毛し、この起毛した繊維糸２を図２のように３０デニールのモノフィラメントのポリウレタン糸の弾性糸の芯糸３にカバーリング（いわゆるＦＴＹ）し、このＦＴＹのカバーリングヤーン６によって保温性を保有するようにしている。
【００２９】
そして、図４のように上記カバーリングヤーン６を裏糸７とし、綿アクリル混紡の４０番手の表糸８とともに所要の丸編機に給糸して、たとえば爪先から足首まで平編みの編組織として編成し、図３のように靴下の保温編物１を形成している。編成して所要の縫製処理をした後、所要のヒートセット処理して製品化するものである。
【００３０】
なお、靴下の履口部に、図５のように表糸８と裏糸７の間にゴム糸９を給糸して挿入し、適宜な締め付けの編組織とするなど、適正な締め付け力に編成することができる。
【００３１】
また、図６のように表糸８を上記したように起毛して、起毛した表糸８を上記したように裏糸７とともに給糸して靴下を編成することもできる。表糸８を起毛することによって、さらに保温性を高めることができる。
【００３２】
繊維フィラメントの繊維糸２を起毛してこの起毛した繊維糸２を芯糸３にカバーリングして靴下を編成するため、編地の裏側を剛毛のブラシで起毛しなくて毛玉の発生がなく、また起毛時に裏糸を傷つけるおそれがなく、洗濯を重ねてもストレッチ性を損わなずに、良好な保温状態の靴下を得ることができる。特に、肌に接する内面側に起毛による多量の空気層を形成できて、良好な保温状態の靴下を得ることができるものである。
【００３３】
また、繊維糸２をマルチフィラメントとして、起毛状態を密に形成でき、芯糸３にカバーリングして編成するため、多量の空気層を形成できて、良好な保温状態の靴下を得ることができる。
【００３４】
なお、上記マルチフィラメントの合成繊維糸２は、図１のように細径の筒状やローラ等の起毛器４に送給してマルチフィラメントの合成繊維糸２を引っ掻くようにして起毛するようにしたが、マルチフィラメントの合成繊維糸２を毛羽立つようにする起毛器等を利用して行うことも可能である。
【００３５】
上記では、靴下の編物について説明したが、シャツ、ショーツ等の肌着や、手袋、腹巻、帽子等の編物についても、所要の繊維糸を選別して同様に編成することができ、さらにワイシャツ、ズボン、敷布、枕カバー、タオル等の織物についても同様に適用することができる。
【産業上の利用可能性】
【００３６】
本発明は、靴下、ショーツ、シャツ、タイツ等の肌着、腹巻、手袋、帽子等の編物や、ワイシャツ、ズボン、敷布、枕カバー、タオル等の織物の保温を要する編物や織物に広く利用することができる。
【符号の説明】
【００３７】
１…保温編物    ２…繊維糸    ３…芯糸    ４…起毛    ５…カバーリングヤーン    ７…裏糸        ８…表糸
【先行技術文献】
【特許文献】
【００３８】
【特許文献１】実用新案登録第３０７１８７３号公報
【特許文献２】実用新案登録第３０７９２８０号公報
【図１】
2013064210.tif 000003
【図２】
2013064210.tif 000004
【図３】
2013064210.tif 000005
【図４】
2013064210.tif 000006
【図５】
2013064210.tif 000007
【図６】
2013064210.tif 000008
【手続補正書】
【提出日】平成23年9月22日(2011.9.22)
【手続補正１】
【補正対象書類名】明細書
【補正対象項目名】００１８
【補正方法】変更
【補正の内容】
【００１８】
上記繊維糸２としては、１７〜９６本のマルチフィラメントの５０〜１５０デニールのポリエステル、ポリプロピレン、ナイロンを含む合成繊維フィラメントが利用するのが好ましく、芯糸３としてはモノフィラメントの２０〜７０デニールのポリウレタン糸を含む合成繊維の弾性糸を利用するのが好ましい。必要により、天然繊維糸を利用することもできる。
【手続補正２】
【補正対象書類名】明細書
【補正対象項目名】００２８
【補正方法】変更
【補正の内容】
【００２８】
図１〜図４は、本発明の一実施例を示すものである。保温編物１は靴下編成の一実施例で、繊維糸２を３６束、７５デニールのマルチフィラメントのポリエステル糸を図１のように起毛器４に給糸してマルチフィラメントのポリエステル糸を引っ掻き部で引っ掻いて起毛し、この起毛した繊維糸２を図２のように３０デニールのモノフィラメントのポリウレタン糸の弾性糸の芯糸３にカバーリング（いわゆるＦＴＹ）し、このＦＴＹのカバーリングヤーン６によって保温性を保有するようにしている。
【手続補正３】
【補正対象書類名】明細書
【補正対象項目名】００２９
【補正方法】変更
【補正の内容】
【００２９】
そして、図４のように上記カバーリングヤーン６を裏糸７とし、綿アクリル混紡の４０番双糸の表糸８とともに所要の丸編機に給糸して、たとえば爪先から足首まで平編みの編組織として編成し、図３のように靴下の保温編物１を形成している。編成して所要の縫製処理をした後、所要のヒートセット処理して製品化するものである。